(57)【特許請求の範囲】
【請求項１】
受信した放送波に含まれるコンテンツを格納するメモリ手段と、
前記コンテンツの受信品質を取得する受信品質取得手段と、
画面を備えた表示手段と、
ユーザが指示もしくは設定する情報を入力する情報入力手段と、
前記メモリ手段、受信品質取得手段、表示手段及び情報入力手段に動作可能に接続された制御手段とを具備し、
前記制御手段は、前記コンテンツを前記メモリ手段に記録する際に、当該コンテンツについて取得された受信品質の情報をそのコンテンツの識別情報とリンクさせて記録し、前記情報入力手段を介してユーザ指示があったときに、前記メモリ手段の記録内容を参照して前記受信品質の情報及びその対応するコンテンツの識別情報を前記表示手段の画面に表示させ、
前記コンテンツを前記メモリ手段に記録している最中に当該コンテンツの受信品質とそのジャンルを判定し、所望の受信品質に満たない場合で、かつ、該ジャンルが品質を重視すべき内容のものであると判定した場合に、当該コンテンツの記録を中止し、前記メモリ手段から当該コンテンツを削除すると共に、当該コンテンツの受信品質の情報及びその識別情報を削除することを特徴とする放送受信機。
【請求項２】
前記制御手段は、前記コンテンツのジャンルが情報性を重視すべき内容のものであると判定した場合に、当該コンテンツの前記メモリ手段への記録を継続することを特徴とする請求項１に記載の放送受信機。
【請求項３】
車両に搭載されていることを特徴とする請求項１又は２に記載の放送受信機。
【発明の詳細な説明】
【技術分野】
【０００１】
本発明は放送受信機に関し、特に、受信した放送内容（コンテンツ）をＤＶＤやＨＤＤ等の各種メディアに記録する機能を備えた放送受信機に関する。
【背景技術】
【０００２】
近年、音声や映像等のデジタル信号処理技術の進歩に伴い、ラジオやテレビで放送される受信品質（音質／画質）の良いコンテンツを手軽にＤＶＤやＨＤＤ等の各種メディアに記録し、再生することが容易に行えるようになってきた。しかし、放送コンテンツを簡単に録音／録画することができるようになった反面、メディアに記録されるコンテンツの量は増え、その保存や破棄等の管理に手間がかかるようになってきた。
【０００３】
すなわち、録音／録画したコンテンツの量が増えてくるとメディアの空き容量が少なくなってくるため、記録可能な空き容量が無くなってしまう前に、録音／録画したコンテンツの整理が必要になってくる。また、メディアに記録したコンテンツの受信品質が良ければそのまま保存し、受信品質が悪ければ保存せずに破棄したい場合もある。
【０００４】
このような場合、従来の技術では、メディアに記録されている放送内容（コンテンツ）をユーザ指示に基づいて再生し、ユーザがスピーカやディスプレイを通して当該コンテンツの記録時の受信品質（音切れの具合や雑音の量、画面のちらつきなど）を判断することで、当該コンテンツをそのまま保存するか又は破棄するかの作業を行っていた。
【０００５】
かかる従来技術に関連する技術としては、例えば、特許文献１に記載されるように、番組データを含む放送信号を受信して記録媒体に記録する放送信号受信記録システムにおいて、最初の録画の画質が悪かった場合に、適当なタイミングでユーザに再録画を示唆するとともに、ユーザの選択に従って自動的に再録画を行うようにしたものがある。
【特許文献１】特開２００１−２４５２６４号公報
【発明の開示】
【発明が解決しようとする課題】
【０００６】
上述したように受信した放送コンテンツを記録保存する機能を備えた従来の放送受信機では、その保存したコンテンツの記録時の受信品質（音切れの具合や雑音の量など）は、当該コンテンツを再生してみなければ分からなかった。このため、記録したコンテンツの整理（受信品質の悪いコンテンツを破棄し、受信品質の良いコンテンツを残す等の作業）に手間がかかり、このような作業はユーザにとっては非常に煩わしいといった課題があった。
【０００７】
本発明は、かかる従来技術における課題に鑑み創作されたもので、記録した放送コンテンツを再生しなくてもその記録時の受信品質が分かるようにし、ひいては当該コンテンツの管理上の便宜に寄与することができる放送受信機を提供することを目的とする。
【課題を解決するための手段】
【０００８】
上記の従来技術の課題を解決するため、本発明の一形態によれば、受信した放送波に含まれるコンテンツを格納するメモリ手段と、前記コンテンツの受信品質を取得する受信品質取得手段と、画面を備えた表示手段と、ユーザが指示もしくは設定する情報を入力する情報入力手段と、前記メモリ手段、受信品質取得手段、表示手段及び情報入力手段に動作可能に接続された制御手段とを具備し、前記制御手段は、前記コンテンツを前記メモリ手段に記録する際に、当該コンテンツについて取得された受信品質の情報をそのコンテンツの識別情報とリンクさせて記録し、前記情報入力手段を介してユーザ指示があったときに、前記メモリ手段の記録内容を参照して前記受信品質の情報及びその対応するコンテンツの識別情報を前記表示手段の画面に表示させ、前記コンテンツを前記メモリ手段に記録している最中に当該コンテンツの受信品質とそのジャンルを判定し、所望の受信品質に満たない場合で、かつ、該ジャンルが品質を重視すべき内容のものであると判定した場合に、当該コンテンツの記録を中止し、前記メモリ手段から当該コンテンツを削除すると共に、当該コンテンツの受信品質の情報及びその識別情報を削除することを特徴とする放送受信機が提供される。
【０００９】
本発明に係る放送受信機によれば、受信した放送コンテンツをメモリ手段に記録する際に、当該コンテンツについて取得した受信品質の情報をそのコンテンツの識別情報（例えば、アーティスト名、曲名など）とリンクさせて記録しておき、必要に応じて当該コンテンツに関する情報（受信品質の情報、識別情報）を表示手段の画面に表示するようにしている。従って、この画面に表示された情報をユーザが参照することで、受信した放送コンテンツが受信品質の良い状態で保存されたのか又は悪い状態で保存されたのかを確認することができる。つまり、メモリ手段に記録した放送コンテンツを再生しなくても、その記録時の受信品質を知ることができる。
【００１０】
これは、当該コンテンツの管理上の便宜に寄与する。つまり、従来技術に見られたような不都合（いったん記録したコンテンツを再生してユーザ自らがその受信品質の良し悪しを判断し、その結果に基づいて当該コンテンツの整理を行うといった作業の煩わしさ）を解消することができる。
また、受信した放送コンテンツを記録している最中に、所望の受信品質に満たない場合で、かつ、該ジャンルが品質を重視すべき内容のものであると判定した場合に当該コンテンツを自動的に削除するようにしているので、ユーザのコンテンツ削除に係る手間を省くことができる。さらに、放送コンテンツを記録している最中であっても受信品質が所望の値に達していない「品質」重視のコンテンツであれば、その時点で当該コンテンツの記録を中止するようにしているので、他の放送チャンネルに切り換えることができる。
【００１１】
本発明に係る放送受信機の他の形態及びその動作については、後述する発明の実施の形態を参照しながら説明する。
【発明を実施するための最良の形態】
【００１２】
以下、本発明の実施の形態について、添付の図面を参照しながら説明する。
【００１３】
図１は本発明の一実施形態に係る車載放送受信機の構成を概略的に示したものである。本実施形態では、本発明に係る放送受信機を車載用オーディオ／ビデオ（Ａ／Ｖ）システムに組み込んで使用した場合の構成例を示している。
【００１４】
本実施形態に係る車載放送受信機１０は、各放送局から伝送されてくるラジオ電波（例えば、ＡＭ／ＦＭ放送波、衛星デジタル放送波、地上デジタル放送波など）を受信するためのアンテナ１１と、このアンテナ１１に接続されたフロントエンド１２と、このフロントエンド１２の後段に接続されたバックエンド１３と、フロントエンド１２及びバックエンド１３に動作可能に接続された受信機制御部１４と、バックエンド１３の後段に接続されたハードディスクドライブ（ＨＤＤ）１５と、このＨＤＤ１５と受信機制御部１４に動作可能に接続されたＨＤＤ制御部１６と、ＨＤＤ１５の後段にそれぞれ接続されたオーディオ処理部１７及びビデオ処理部１８と、各処理部１７，１８の出力端にそれぞれ接続されたスピーカ１９及びＬＣＤモニタ等のディスプレイ２０とを備えている。
【００１５】
さらに、ＨＤＤ制御部１６にはユーザインタフェースとしてのホストコントローラ２１が接続され、このホストコントローラ２１には操作部２２が設けられている。このホストコントローラ２１は、例えば、ヘッドユニット（表示機能付操作ユニット）の形態で構築され、車室内のフロント席の乗員が確認し操作できるようにセンターコンソールのほぼ中間位置に設置されている。この形態では、ディスプレイ２０と操作部２２は、ヘッドユニット（ホストコントローラ２１）のフロントパネル上に一体化されている。
【００１６】
フロントエンド１２は、基本的にはホストコントローラ２１と協働する受信機制御部１４からの制御に基づいて放送波の受信及びその選択を行うための前段ブロックであり、受信する放送波の種類に応じて各種機能ブロックを備えている。例えば、地上波デジタルＴＶ放送を受信する場合には、アンテナ１１を通して受信された放送波に対して周波数同調を行うためのチューナ部、このチューナ部から選択出力された放送波をＭＰＥＧ２−ＴＳ (Transport Stream) 形式のデジタルデータに変換するためのＯＦＤＭ（直交周波数分割多重）復調部、所定の誤り検出及びその訂正処理を行うための誤り訂正部などの機能ブロックを備えている。
【００１７】
バックエンド１３は、基本的にはホストコントローラ２１と協働する受信機制御部１４からの制御に基づいてフロントエンド１２から出力された放送波信号の復調（デコード）を行うための後段ブロックであり、フロントエンド１２の構成に対応して各種機能ブロックを備えている。例えば、上記と同様に地上波デジタルＴＶ放送を受信する場合には、フロントエンド１２から出力されたＭＰＥＧ２−ＴＳ形式のデジタルデータをオーディオ信号とビデオ信号に分離するためのＭＰＥＧ２−ＴＳ復調部、分離されたオーディオ信号及びビデオ信号をデコードするためのオーディオデコーダ及びビデオデコーダなどの機能ブロックを備えている。この場合、分離されたビデオ信号は、メインピクチャ（映像情報）ビットストリームとサブピクチャ（文字情報）ビットストリームからなり、メインピクチャビットストリームはＭＰＥＧ２のフォーマットに従って圧縮された信号であり、サブピクチャビットストリームはランレングス圧縮方式に従って圧縮された信号である。
【００１８】
さらに、このバックエンド１３は、後述するようにホストコントローラ２１と協働する受信機制御部１４からの制御に基づいて放送コンテンツの受信品質を数値化したものを取得する機能を有している。この「受信品質を数値化したもの」とは、定期的に取得した受信品質を統計的に総合した数値であり、以下の記述では便宜上、「記録（録音／録画）状態値」ともいう。受信品質は以下のようにして求められる。
【００１９】
例えば、アナログ放送を受信する場合には、その受信信号の電界強度を検出することにより当該放送波の受信品質を決定することができ、デジタル放送を受信する場合には、その受信信号からビットエラーレート（ＢＥＲ）やパケットエラーレート（ＰＥＲ）、誤り訂正数などを検出することにより当該放送波の受信品質を決定することができる。また、ＩＢＯＣ（In Band On Channel）方式を採用したデジタル音声放送を受信する場合には、現状の技術ではハイブリッド方式（アナログ放送搬送波の両側波帯にデジタル変調波を付加した方式）で運用されているので、このデジタル変調波（音声放送信号）の有無に応じて出力放送波のアナログからデジタル、又はデジタルからアナログへの自動切替を行う処理（ブレンド機能）の回数を検出することにより、当該放送波の受信品質を決定することができる。
【００２０】
このようにして取得された「受信品質」を指示する情報（受信品質情報ＲＱ）は、上記のデコードされた放送コンテンツ（デジタルのオーディオ信号ＡＳ及びビデオ信号ＶＳ）と共に、ホストコントローラ２１と協働するＨＤＤ制御部１６からの制御に基づいてＨＤＤ１５に転送される。つまり、受信した放送コンテンツ及びその受信品質に関するデータがＨＤＤ１５に記録され、保存される。この際、受信品質情報ＲＱは、その対応する放送コンテンツを識別できる情報（例えば、アーティスト名、曲名、番組名など）とリンクさせて、「コンテンツリスト」の態様で記録される。
【００２１】
オーディオ処理部１７は、ホストコントローラ２１と協働するＨＤＤ制御部１６からの制御に基づいてＨＤＤ１５から読み出されたデジタルオーディオ信号ＡＳをアナログオーディオ信号に変換し、電力増幅してスピーカ１９に出力する機能ブロックである。一方、ビデオ処理部１８は、同様にＨＤＤ制御部１６からの制御に基づいてＨＤＤ１５から読み出されたデジタルビデオ信号ＶＳ（コンテンツリスト情報ＣＬも含む）に対し、メインピクチャ（映像情報）とサブピクチャ（文字情報）とをデジタル合成し、その合成されたデジタルビデオ信号をアナログビデオ信号に変換してディスプレイ２０に出力する機能ブロックである。
【００２２】
ホストコントローラ２１はマイクロコンピュータ（マイコン）等により構成され、基本的には、本受信機１０が組み込まれたＡ／Ｖシステム全体を制御すると共に、車両に搭載されたナビゲーションシステムを制御するためのものである。従って、ＨＤＤ１５には、上記の受信した放送コンテンツ（ＡＳ，ＶＳ）及びその受信品質（ＲＱ）に関するデータの他に、ナビゲーションに必要な地図データも格納されている。さらに、このホストコントローラ２１は、後述するように受信機制御部１４及びＨＤＤ制御部１６と協働して、放送コンテンツ及びその受信品質の記録に係る処理、コンテンツリスト（ＣＬ）の表示及びそれに基づくコンテンツ削除に係る処理、放送コンテンツ及びその受信品質の記録と受信品質の判定に基づくコンテンツ自動削除に係る処理、放送コンテンツ及びその受信品質の記録と受信品質及びジャンル（放送内容）の判定に基づくコンテンツ自動削除に係る処理を制御する機能を有している。
【００２３】
操作部２２には、  ユーザが指示もしくは設定する情報を入力するための各種操作キーが設けられている。特に本発明に関連するキーとしては、ＨＤＤ１５に記録されたコンテンツの受信品質情報ＲＱを全てリスト表示させるか又は特定の一部のみリスト表示させるかを設定するためのキー、ＨＤＤ１５へのコンテンツの記録（録音／録画）の終了時に所望の受信品質に達していないコンテンツの自動削除を行わせるかどうかを設定するためのキー、記録している最中に所望の受信品質に達していない場合にその記録の自動削除を行わせるかどうかを設定するためのキー等が設けられている。操作部２２の形態としては、ディスプレイ２０の画面上に設けられたタッチパネルでもよいし、あるいはリモートコントローラ（リモコン）でもよい。
【００２４】
以上のように構成された車載放送受信機１０において、バックエンド１３は「受信品質取得手段」に、ＨＤＤ１５は「メモリ手段」に、ディスプレイ２０は「表示手段」に、操作部２２は「情報入力手段」に、受信機制御部１４及びＨＤＤ制御部１６と協働するホストコントローラ２１は「制御手段」にそれぞれ対応している。
【００２５】
以下、本実施形態に係る車載放送受信機１０において行う放送コンテンツ及びその受信品質の記録（コンテンツリストの作成）に係る処理について、その一例を示す図２を参照しながら説明する。
【００２６】
先ず最初のステップＳ１では、ホストコントローラ２１において、操作部２２を介してユーザ指示に基づいた各種の初期設定が行われたことを検出する。ここでいう初期設定には、例えば、録音／録画の対象とする放送局（チャンネル）や番組名などの設定が含まれる。
【００２７】
次のステップＳ２では、ホストコントローラ２１（受信機制御部１４）において、フロントエンド１２を通して放送（コンテンツ）を受信した（ＹＥＳ）か否（ＮＯ）かを判定する。判定結果がＹＥＳの場合にはステップＳ３に進み、判定結果がＮＯの場合には本処理フローは「終了」となる。
【００２８】
次のステップＳ３では、ホストコントローラ２１（ＨＤＤ制御部１６）からの制御に基づいて当該コンテンツのＨＤＤ１５への記録（録音／録画）を開始する。すなわち、フロントエンド１２を通して選択出力された放送波信号はバックエンド１３を通して所定の復調（デコード）処理がなされた後、ＨＤＤ１５に転送され、当該放送コンテンツ（オーディオ信号ＡＳ／ビデオ信号ＶＳ）の録音／録画が開始される。
【００２９】
また、この録音／録画の開始と同時に、ホストコントローラ２１（ＨＤＤ制御部１６）からの制御に基づいて当該放送コンテンツをＨＤＤ１５から読み出し、オーディオ処理部１７／ビデオ処理部１８を介してスピーカ１９／ディスプレイ２０に出力することで、再生動作を開始する。
【００３０】
次のステップＳ４では、ホストコントローラ２１（受信機制御部１４）からの制御に基づきバックエンド１３において、上述したように当該コンテンツの受信品質を数値化したもの（記録（録音／録画）状態値）を取得する。例えば、アナログ放送であれば「受信電界強度」、デジタル放送であれば「ビットエラーレート」、「パケットエラーレート」など、ＩＢＯＣデジタル音声放送であれば「ブレンド機能の回数」を検出することで、当該放送波の受信品質を決定することができる。
【００３１】
次のステップＳ５では、ホストコントローラ２１（ＨＤＤ制御部１６）からの制御に基づいてその取得された受信品質情報ＲＱがＨＤＤ１５に転送され、その対応する放送コンテンツ（オーディオ信号ＡＳ／ビデオ信号ＶＳ）と共に記録される。このとき、受信品質情報ＲＱは、当該コンテンツの識別情報（アーティスト名、曲名など）と対応付けられて記録される（コンテンツリストの作成）。
【００３２】
次のステップＳ６では、ホストコントローラ２１が受信機制御部１４及びＨＤＤ制御部１６と協働して、当該コンテンツのＨＤＤ１５への記録（録音／録画）が終了した（ＹＥＳ）か否（ＮＯ）かを判定する。判定結果がＹＥＳの場合にはステップＳ２に戻って上記の処理を繰り返し、判定結果がＮＯの場合には当該コンテンツの記録が終了するまで処理を繰り返す。なお、当該コンテンツの記録が終了した場合には、当該コンテンツの再生動作も終了する。
【００３３】
次に、本実施形態に係る車載放送受信機１０において行うコンテンツリストの表示及びそれに基づくコンテンツ削除に係る処理について、その一例を示す図３を参照しながら説明する。
【００３４】
先ず最初のステップＳ１１では、ホストコントローラ２１において、操作部２２を介してユーザ指示に基づいた各種の初期設定が行われたことを検出する。ここでいう初期設定には、ＨＤＤ１５に録音／録画されたコンテンツの受信品質情報ＲＱを全てリスト表示させるか又は特定の一部のみリスト表示させるかの設定が含まれる。
【００３５】
次のステップＳ１２では、ホストコントローラ２１において、操作部２２を介してユーザによるリスト表示の指示（操作）があった（ＹＥＳ）か否（ＮＯ）かを判定する。判定結果がＹＥＳの場合にはステップＳ１３に進み、判定結果がＮＯの場合には本処理フローは「終了」となる。
【００３６】
次のステップＳ１３では、ホストコントローラ２１（ＨＤＤ制御部１６）からの制御に基づいてＨＤＤ１５からコンテンツリスト情報ＣＬを読み出し、ビデオ処理部１８を介してディスプレイ２０の画面にそのコンテンツリストを表示する。このコンテンツリストには、特に図示はしないが、ＨＤＤ１５に記録された各コンテンツ毎に記録状態値（受信品質情報ＲＱ）と当該コンテンツの識別情報（アーティスト名、曲名、番組名など）とを対応付けた情報が含まれている。
【００３７】
次のステップＳ１４では、ホストコントローラ２１において、操作部２２を介してユーザによる削除の指示（操作）があった（ＹＥＳ）か否（ＮＯ）か、すなわち、画面に表示されているコンテンツリストの中からユーザが削除したいと考えているコンテンツが選択されたか否かを判定する。判定結果がＹＥＳの場合にはステップＳ１５に進み、判定結果がＮＯの場合には本処理フローは「終了」となる。
【００３８】
次のステップＳ１５では、ホストコントローラ２１（ＨＤＤ制御部１６）からの制御に基づいてＨＤＤ１５から当該コンテンツ（削除の指示があったコンテンツ）を削除すると共に、コンテンツリストから当該コンテンツに関する情報（受信品質を指示する記録状態値と、アーティスト名、曲名などの識別情報とを対応付けた情報）を削除する。そして、本処理フローは「終了」となる。
【００３９】
以上説明したように、本実施形態に係る車載放送受信機１０によれば、受信した放送コンテンツの受信品質の良し悪しにかかわらず録音／録画操作が行われたコンテンツ及びそのコンテンツに関する情報（受信品質を指示する記録状態値と、アーティスト名、曲名などの識別情報とを対応付けた情報）を全てＨＤＤ１５に記録しておき（図２）、後の段階で必要に応じて当該コンテンツに関する情報（コンテンツリスト）をディスプレイ２０の画面に表示するようにしている（図３）。
【００４０】
従って、このコンテンツリストをユーザが参照することで、受信した放送コンテンツが受信品質の良い状態で保存されたのか又は悪い状態で保存されたのかを確認することができる。つまり、ＨＤＤ１５に記録した放送コンテンツを再生しなくても、その記録時の受信品質を知ることができる。
【００４１】
これによって、従来技術に見られたような不都合（いったん記録したコンテンツを再生してユーザ自らがその受信品質の良し悪しを判断し、その結果に基づいて当該コンテンツの保存又は破棄を行うといった作業の煩わしさ）を解消することができる。これは、ＨＤＤ１５に記録したコンテンツの管理上の便宜に寄与する。
【００４２】
また、受信品質の良し悪しにかかわらず録音／録画操作が行われたコンテンツ及びその関連する情報（記録状態値と識別情報とを対応付けた情報）は全て記録するようにしているので、後の段階で整理するときに、記録状態値が所望の品質（所定値）に達しないコンテンツのみを選択的に画面にリストアップさせることも可能である。例えば、ステップＳ１１（図３）において初期設定を行う際にその旨の設定（受信品質情報ＲＱの一部リスト表示）を行うことで、所定値に満たない記録状態値が付与されたコンテンツのみをリスト表示させることができる。これによって、必要であればそのリスト表示の中から所望するコンテンツをインターネット等からダウンロード（購入）することができる。
【００４３】
上述した実施形態（図２、図３）では、受信した放送コンテンツの受信品質の良し悪しにかかわらず当該コンテンツ及びその関連する情報を全て記録し、後の段階でコンテンツリストを画面上で確認して適宜コンテンツの削除を行うようにしたが、コンテンツ削除の形態はこれに限定されないことはもちろんである。例えば、放送コンテンツの記録が終了した時点で当該コンテンツの受信品質を判定し、所望の受信品質（記録状態値）に満たないコンテンツであればその時点で削除するようにしてもよい。その場合の実施形態を以下に説明する。
【００４４】
図４は、本実施形態に係る車載放送受信機１０において行う放送コンテンツ及びその受信品質の記録（コンテンツリストの作成）と受信品質の判定に基づくコンテンツ自動削除に係る処理の一例を示したものである。
【００４５】
図４に示す処理フローは、図２に示した処理フローと比べて、ステップＳ６（コンテンツのＨＤＤ１５への記録終了を判定する処理）の後に、さらにステップＳ７及びＳ８を追加した点で相違する。また、本処理フローにおける初期設定（ステップＳ１）では、さらに、録音／録画の終了時に所望の受信品質に達していないコンテンツの自動削除を行わせるかどうかの設定が含まれる。
【００４６】
ステップＳ７では（コンテンツの記録（録音／録画）の終了時）、ホストコントローラ２１が受信機制御部１４及びＨＤＤ制御部１６と協働して、ＨＤＤ１５に記録された当該コンテンツの受信品質（記録状態値）が所定値以上である（ＹＥＳ）か否（ＮＯ）かを判定する。判定結果がＹＥＳの場合にはステップＳ２に戻って上記の処理を繰り返し、判定結果がＮＯの場合には次のステップＳ８に進む。
【００４７】
ステップＳ８では、ホストコントローラ２１（ＨＤＤ制御部１６）からの制御に基づいてＨＤＤ１５から当該コンテンツ（所定値未満の記録状態値が付与されたコンテンツ）を削除すると共に、コンテンツリストから当該コンテンツに関する情報（記録状態値と識別情報とを対応付けた情報）を削除する。この後、ステップＳ２に戻って上記の処理を繰り返す。
【００４８】
図４に示す処理フローによれば、受信した放送コンテンツの記録が終了した時点で当該コンテンツの受信品質を判定し、所望の受信品質に満たないコンテンツであればその時点で自動的に削除するようにしているので、ユーザのコンテンツ削除に係る手間を省くことができる。つまり、図３に例示したように画面に表示したコンテンツリストの中から所定値未満の記録状態値が付与されたコンテンツを確認し、そのコンテンツに対する削除の指示（操作）を行う必要が無くなる。
【００４９】
なお、図４に示す処理フローを実行した場合には、ＨＤＤ１５には受信品質の良いコンテンツのみが記録され、図３の処理フローにおいてステップＳ１３で画面に表示されるコンテンツリストには、その受信品質の良いコンテンツの記録状態値と当該コンテンツの識別情報とを対応付けた情報のみが含まれる。この場合でも、そのコンテンツリストの中からユーザが削除したいと考えているコンテンツがあれば、削除の指示（操作）を行って当該コンテンツをＨＤＤ１５から削除できることはもちろんである。
【００５０】
図４に示した処理フローでは、放送コンテンツの記録が終了した時点で当該コンテンツの記録状態値（受信品質）が所定値未満の場合に自動削除を行うようにしたが、コンテンツ削除を行うタイミングは必ずしもこれに限定されないことはもちろんである。例えば、放送コンテンツを記録している最中であっても、所望の受信品質に達しない場合にはその時点で自動削除を行うようにしてもよい。その場合の実施形態を以下に説明する。
【００５１】
図５は、本実施形態に係る車載放送受信機１０において行う放送コンテンツ及びその受信品質の記録（コンテンツリストの作成）と受信品質及びジャンル（放送内容）の判定に基づくコンテンツ自動削除に係る処理の一例を示したものである。
【００５２】
図５に示す処理フローは、図４に示した処理フローと比べて、ステップＳ２１〜Ｓ２５までの処理については基本的にステップＳ１〜Ｓ５までの処理と同じであり、ステップＳ６〜Ｓ８の代わりにステップＳ２６〜Ｓ２９を備えた点で相違する。また、本処理フローにおける初期設定（ステップＳ２１）では、録音／録画の最中に所望の受信品質に達していない場合にその録音等の自動中止（記録の自動削除）を行わせるかどうかの設定が含まれる。
【００５３】
ステップＳ２６では（コンテンツリストを作成した後）、ホストコントローラ２１が受信機制御部１４及びＨＤＤ制御部１６と協働して、ＨＤＤ１５に記録された当該コンテンツの受信品質（記録状態値）が所定値以上である（ＹＥＳ）か否（ＮＯ）かを判定する。判定結果がＹＥＳの場合にはステップＳ２７に進み、判定結果がＮＯの場合にはステップＳ２８に進む。
【００５４】
ステップＳ２７では、ホストコントローラ２１が受信機制御部１４及びＨＤＤ制御部１６と協働して、当該コンテンツ（この場合、所定値以上の記録状態値が付与されたコンテンツ）のＨＤＤ１５への記録（録音／録画）が終了した（ＹＥＳ）か否（ＮＯ）かを判定する。判定結果がＹＥＳの場合にはステップＳ２２に戻って上記の処理を繰り返し、判定結果がＮＯの場合には当該コンテンツの記録が終了するまで処理を繰り返す。当該コンテンツの記録が終了すると、その再生動作も終了する。
【００５５】
一方、ステップＳ２８では、ホストコントローラ２１が受信機制御部１４及びＨＤＤ制御部１６と協働して、当該コンテンツ（所望の受信品質に達していないコンテンツ）のジャンル（放送内容）を判定する。本実施形態では、その判定したジャンルに応じて受信品質の悪い放送コンテンツの取扱いを変えるようにしている。例えば、ステレオ音声チャンネル（音楽や映画など）とモノラル音声チャンネル（ニュースやドキュメントなど）が記録（録音／録画）の対象となっている場合、ステレオ音声チャンネルについては「品質」を重視して、現在行っている記録を中止してステップＳ２９に進み、モノラル音声チャンネルについては「情報性」を重視して、受信品質が悪くてもそのまま記録を継続してステップＳ２７に進む。
【００５６】
ステップＳ２９では（当該コンテンツの「品質」を重視する場合）、ホストコントローラ２１（ＨＤＤ制御部１６）からの制御に基づいてＨＤＤ１５から当該コンテンツ（所定値未満の記録状態値が付与されたコンテンツ）を削除すると共に、コンテンツリストから当該コンテンツに関する情報（記録状態値と識別情報とを対応付けた情報）を削除する。この後、ステップＳ２２に戻って上記の処理を繰り返す。
【００５７】
図５に示す処理フローによれば、受信した放送コンテンツを記録している最中に当該コンテンツの受信品質を判定し、所望の受信品質に満たない場合においてそのコンテンツが「品質」を重視するものであればその時点で自動的に削除するようにしているので、ユーザのコンテンツ削除に係る手間を省くことができる。つまり、図３に例示したように画面に表示したコンテンツリストの中から所定値未満の記録状態値が付与されたコンテンツを確認し、そのコンテンツに対する削除の指示（操作）を行う必要が無くなる。
【００５８】
なお、図５に示す処理フローを実行した場合には、ＨＤＤ１５には受信品質の良いコンテンツと受信品質は悪いが「情報性」を重視したコンテンツのみが記録される。また、図３の処理フローにおいてステップＳ１３で画面に表示されるコンテンツリストには、その受信品質の良いコンテンツと受信品質は悪いが「情報性」を重視したコンテンツの各記録状態値と当該コンテンツの識別情報とを対応付けた情報のみが含まれる。この場合でも、そのコンテンツリストの中からユーザが削除したいと考えているコンテンツがあれば、削除の指示（操作）を行って当該コンテンツをＨＤＤ１５から削除できることはもちろんである。
【００５９】
また、図５に示す処理フローでは、記録中のコンテンツの受信品質及びジャンルの判定に基づいて所望の受信品質に満たない「品質」重視のコンテンツのみを自動削除の対象としたが、ジャンルの判定は行わずに受信品質の判定のみに基づいてコンテンツの自動削除を行うようにしてもよい。
【００６０】
また、一般的な放送受信機では、記録（録音／録画）中にチャンネルを切り替えるとその記録が中断してしまうため、放送コンテンツを記録している最中はその記録が終了するまでチャンネルを切り替えることができないようになっている。これに対し、図５に示す処理フローによれば、放送コンテンツを記録している最中であっても受信品質が所望の値に達していない「品質」重視のコンテンツであれば、その時点で録音等の自動中止を行うようにしているので、他のチャンネルに切り換えることができる。ただし、この機能は操作部２２からのユーザ指示に基づいてオン／オフするものとする。
【００６１】
上述した各実施形態では、本発明に係る放送受信機を車載用に適用した場合を例にとって説明したが、本発明の要旨からも明らかなように、車載用に限定されないことはもちろんである。要は、受信した放送コンテンツを記録保存するメディア（図１の例では、ＨＤＤ１５）を備え、その保存したコンテンツを再生出力できる状況下にあれば、本発明は、一般的な各種放送受信機にも広く適用することが可能である。
【００６２】
また、上述した実施形態では、受信した放送コンテンツを記録するメディアとしてＨＤＤ１５を用いた場合を例にとって説明したが、メディアの形態はこれに限定されず、例えば、ＤＶＤや読み出し／書き込み可能なＣＤ−Ｒ／Ｗ等を用いてもよい。さらに、ディスクメディアに限定されないことはもちろんであり、例えば、メモリスティックやＳＤメモリ等の半導体メモリを使用することも可能である。
【図面の簡単な説明】
【００６３】
【図１】本発明の一実施形態に係る車載放送受信機の構成を概略的に示すブロック図である。
【図２】図１の車載放送受信機において行う放送コンテンツ及びその受信品質の記録（コンテンツリストの作成）に係る処理の一例を示すフロー図である。
【図３】図１の車載放送受信機において行うコンテンツリストの表示及びそれに基づくコンテンツ削除に係る処理の一例を示すフロー図である。
【図４】図１の車載放送受信機において行う放送コンテンツ及びその受信品質の記録（コンテンツリストの作成）と受信品質の判定に基づくコンテンツ自動削除に係る処理の一例を示すフロー図である。
【図５】図１の車載放送受信機において行う放送コンテンツ及びその受信品質の記録（コンテンツリストの作成）と受信品質及びジャンル（放送内容）の判定に基づくコンテンツ自動削除に係る処理の一例を示すフロー図である。
【符号の説明】
【００６４】
１０…車載放送受信機、
１２…フロントエンド、
１３…バックエンド（受信品質取得手段）、
１４…受信機制御部（制御手段）、
１５…ＨＤＤ（メモリ手段）、
１６…ＨＤＤ制御部（制御手段）、
１７…オーディオ処理部、
１８…ビデオ処理部、
１９…スピーカ、
２０…ディスプレイ（表示手段）、
２１…ホストコントローラ（制御手段）、
２２…操作部（情報入力手段）、
ＡＳ…音声（オーディオ）信号、
ＶＳ…映像（ビデオ）信号、
ＲＱ…受信品質情報、
ＣＬ…コンテンツリスト情報。
【図１】
0004546375.tif 000002
【図２】
0004546375.tif 000003
【図３】
0004546375.tif 000004
【図４】
0004546375.tif 000005
【図５】
0004546375.tif 000006